(57)【特許請求の範囲】
【請求項１】
ポンプベースとこのポンプベースに組付くポンプユニットとを有して構成され、
前記ポンプベースは、鋼板の両縁部をクランク状に折り曲げて構成され、クランク状の段差の下部に位置する両縁部は左右方向に細長く延びる一対のベース設置面を形成し、一対の該ベース設置面の間で前記段差の上部に位置する平坦部分は機器が設置される機器据付面を形成し、
前記ポンプベースには、ポンプ出荷時から、ポンプ振動の伝播を抑える防振機能部が組付けてあり、
前記防振機能部は、一対の前記ベース設置面の下側と、該一対のベース設置面の下側に対向してポンプ装置の設置場所に載置される一対の帯板状のベース部材との間に、振動を吸収する複数の吸振体を介装してなる
ことを特徴とするポンプ装置。
【請求項２】
請求項１に記載のポンプ装置において、
前記機器据付面の裏面には補強部材が取着してあることを特徴とするポンプ装置。
【請求項３】
請求項１に記載のポンプ装置において、吸振体には、同一の吸振体を用いられ、各ベース部材に配置してある吸振体の数量を、ポンプ装置の重心位置に応じて異ならせてあることを特徴とするポンプ装置。
【請求項４】
請求項１に記載のポンプ装置において、
前記吸振体には、ばね常数の異なる吸振体を用いられ、各ベース部材に配置してある吸振体のばね定数を、ポンプ装置の重心位置に応じて使い分けてあることを特徴とするポンプ装置。
【請求項５】
請求項１に記載のポンプ装置において、
前記吸振体は、コイルばねをゴム部材に埋設するとともに該コイルばねの両端側にそれぞれ前記ベース部材、前記ベース設置面と接する接触座が形成されたゴムパッドから構成されることを特徴とするポンプ装置。
【請求項６】
請求項１に記載のポンプ装置において、
前記ベース部材と前記ベース設置面との間には、ポンプ装置が転倒するのを抑制する転倒防止具が設けられていることを特徴とするポンプ装置。
【請求項７】
請求項６に記載のポンプ装置において、
前記転倒防止具は、一端部が前記ベース部材に取着され、他端部が前記吸振体、ベース設置面を貫通し、該貫通端にナットが螺挿されるボルト部材で構成されることを特徴とするポンプ装置。
【請求項８】
請求項１に記載のポンプ装置において、
前記ポンプユニットは、吐出圧力を検出する圧力検出手段と、吐出流量を検出する流量検出手段と、予め設定された吐出揚程以下で始動し予め設定された流量以下で停止させる手段とを有して構成された給水ポンプユニットであることを特徴とするポンプ装置。
【請求項９】
請求項１に記載のポンプ装置において、
前記ポンプユニットは、ポンプ部とこのポンプ部を駆動する電動機とを有し、さらに前記電動機を可変速運転させる可変速駆動手段と、該可変速駆動手段の制御により前記ポンプ部の吐出揚程を予め設定された目標圧力で一定に運転させる手段とを有して構成された給水ポンプユニットであることを特徴とするポンプ装置。
【発明の詳細な説明】
【０００１】
【発明の属する技術分野】
本発明は、固定基盤といったポンプ装置の設置場所へ、ポンプ装置のポンプ振動が伝わらない工夫を施したポンプ装置に関する。
【０００２】
【従来の技術】
マンションやアパートなどの給水に用いられるポンプ装置には、ポンプベースにポンプユニットを組付けた構造が採用されている。
【０００３】
ポンプユニットは、電動機で駆動されるポンプ部、各種バルブ、配管類などを組合わせて構成される。
【０００４】
ところで、ポンプユニットは、電動機でポンプ部を駆動して運転するために、振動が発生しやすい。この振動は、ポンプユニットの各部の見直しによって、抑えられているが、それでも、振動の発生は避けられず、そのポンプ振動が、ポンプベースのアンカーを伝って、ポンプ装置の設置場所（固定基盤など）へ伝播する。
【０００５】
このため、ポンプ装置の設置される場所が、振動を嫌うような場所では、別途、防振対策を講じている。
【０００６】
従来では、ポンプ装置とは、別に防振だけに特化した枠形の防振架台を購入し、この防振架台を、クレーンを用いた作業で、現場の設置場所に設置し、設置後、この防振架台にポンプ装置を据付けることが行われている。
【０００７】
【発明が解決しようとする課題】
ところが、防振架台は、大形で重量の有る部品なので、ポンプ装置を据付けるときは、クレーンや多くの人手作業を使って設置現場に据付けてから、この設置した防振架台に対してポンプ装置を据付けるという作業が求められ、ポンプ装置の設置を終えるまでの作業が煩わしい。
【０００８】
また防振架台は、ポンプ装置の全体に合わせて製作してあるので、かなり高価である。このため、特に騒音や振動を嫌う場所以外では、防振架台が受け入れられない事情もあった
本発明は上記事情に着目してなされたもので、その第１の目的とするところは、煩わしい作業を必要とせずに防振対策を施したポンプ装置の設置を可能としたことにある。
【０００９】
同じく第２の目的とするところは、上記目的に加え安価な構造で防振が施せるようにしたことにある。
【００１０】
【課題を解決するための手段】
本発明の一形態にかかるポンプ装置は、ポンプベースとこのポンプベースに組付くポンプユニットとを有して構成され、前記ポンプベースは、鋼板の両縁部をクランク状に折り曲げて構成され、クランク状の段差の下部に位置する両縁部は左右方向に細長く延びる一対のベース設置面を形成し、一対の該ベース設置面の間で前記段差の上部に位置する平坦部分は機器が設置される機器据付面を形成し、前記ポンプベースには、ポンプ出荷時から、ポンプ振動の伝播を抑える防振機能部が組付けてあり、前記防振機能部は、一対の前記ベース設置面の下側と、該一対のベース設置面の下側に対向してポンプ装置の設置場所に載置される一対の帯板状のベース部材との間に、振動を吸収する複数の吸振体を介装してなることを特徴とする
【００１１】
これにより、ポンプベースを設置場所に据付けるというポンプ装置の設置作業だけで、防振対策が施されるので、別途、防振架台を設置するときのような煩わしい作業を必要とせずに、防振機能付のポンプ装置の設置が行える。
【００１２】
本発明の他の一形態にかかるポンプ装置は、前記機器据付面の裏面には補強部材が取着してある。
【００１３】
請求項３に記載した発明は、上記目的に加え、さらにポンプ装置の重心位置を考慮して、各吸振体において良好な防振効果が発揮されるよう、同一の吸振体を用いた場合には、ベース設置面に配置してある吸振体の数量をポンプ装置の重心位置に応じて異ならせる構成を採用した。
【００１４】
請求項４に記載した発明は、同じくばね常数の異なる吸振体を用いた場合には、ベース設置面に配置してある吸振体のばね常数を、ポンプ装置の重心位置に応じて使い分ける構成を採用した。
【００１５】
本発明の他の一形態にかかるポンプ装置は、前記吸振体は、コイルばねをゴム部材に埋設するとともに該コイルばねの両端側にそれぞれ前記ベース部材、前記ベース設置面と接する接触座が形成されたゴムパッドから構成される。
【００１６】
本発明の他の一形態にかかるポンプ装置は、さらにポンプ装置が地震などで転倒するようなことがないよう、前記ベース部材と前記ベース設置面との間には、ポンプ装置が転倒するのを抑制する転倒防止具が設けられている。
【００１７】
本発明の他の一形態にかかるポンプ装置は、さらに簡単、かつコンパクトな構造の転倒防止具ですむよう、転倒防止具として、一端部がベース部材に取着され、他端部が吸振体、ベース設置面を貫通して延び貫通端にナットが螺挿されるボルト部材を用いた。
【００１８】
請求項８に記載した発明は、特に防振が求められるポンプ装置に適するよう、予め設定された吐出揚程以下で始動し、予め設定された流量以下で停止させる手段を有して構成された給水ポンプユニットを有するポンプ装置に採用した。
【００１９】
請求項９に記載した発明は、同じく電動機駆動のポンプ部の吐出揚程を予め設定された目標圧力で一定に運転させる手段を有するポンプ装置に採用した。
【００２０】
【発明の実施の形態】
以下、本発明を図１ないし図３に示す第１の実施形態にもとづいて説明する。
【００２１】
図１（ａ）〜（ｃ）は、ポンプ装置、例えば給水ポンプ装置を示していて、同図中１はポンプベースである。
【００２２】
ポンプベース１は、例えば長方形の鋼板の両縁部をクランク状に折り曲げて平板状に構成される。これにより、ポンプベース１の両縁部には、左右方向に細長く延びる一対のベース設置面２が形成され、その他の平坦部分（ベース設置面２間）には機器据付面３が形成してある。なお、平坦部分の裏面には補強部材４が取着してある。
【００２３】
このポンプベース１の機器据付面３には、ポンプユニット、例えば給水用の給水ポンプユニット５が据付けてある。
【００２４】
給水ポンプユニット５は、例えば相互間の配管が施された２台（一対）のポンプ６と、縦型の制御盤１７とを有したユニットが用いられている。
【００２５】
具体的には、ポンプ６には、電動機７の出力軸とポンプ部８の羽根車（図示しない）とを直結したポンプ、すなわち電動機直動式のポンプが用いられる。そして、ポンプ部８の吸込口８ａが前方、吐出口８ｂが上へ向くよう、２台のポンプ６が、機器据付面３ａの左右両端側に据付けてある。各ポンプ６の吐出口８ｂは、エルボ９、逆止弁１０、ティ１１を介して、ポンプ６，６間に配置されるヘッダ吐出口１２で集合するように接続される。これで、ポンプ６が運転すると、吸込口８ａから受水側、例えば受水槽（図示しない）内の水を吸い込み、ヘッダ吐出口１２から、蛇口につながる給水管（いずれも図示しない）へ吐出されるようにしてある。なお、ポンプ６，６間には、給水を助けるアキュームレータ１３が設置してある。また配管部のうち、各ポンプ６，６の吐出側には、吐出流量を検出する流量センサ１４（流量検出手段に相当）が取付けてあり、さらに吐出側には、ヘッダ吐出口１２の吐出圧力を検出する圧力センサ１５（圧力検出手段に相当）が取付けてある。
【００２６】
このポンプ６，６に隣接して、機器据付面３の最も端側、例えば左端面部分には、上記制御盤１７が、ブラケット１８を介して、正面が端側に向く姿勢で据付けてある。制御盤１７内には、例えばマイクロコンピュータで構成される制御部１９が収められている。この制御部１９は、流量センサ１４、圧力センサ１５に接続されている。この制御部１９には、予め始動、停止のための吐出揚程と流量とが設定されていて、圧力センサ１５で検出される吐出圧力が設定吐出揚程以下でポンプ６を始動、流量センサ１４で検出される吐出流量が設定流量以下でポンプ６を停止させるようにしてある。また制御盤１７内には、各ポンプ６，６の電動機７の電源周波数を可変するインバータ２０（可変速駆動手段に相当）も収められている。このインバータ２０は制御部１９に接続してある。制御部１９には、吐出揚程が予め設定された目標圧力で一定に保たれるようインバータ２０を制御する機能が設定されていて、インバータ２０で行われるポンプ６の可変速制御により、必要な給水能力が確保されるようにしている。
【００２７】
一方、このポンプ装置のポンプベース１には、ポンプ装置が工場から出荷される時（ポンプ出荷時）から、防振機能部２２が組付けてある。
【００２８】
防振機能部２２は、簡単な構造ですむよう、ポンプベース１の各ベース設置面２の下側に、それぞれ該設置面２に代わるレール状の防振ベース２３を組付けた構造が用いられている。
【００２９】
具体的には、図２（ａ），（ｂ）に示されるように防振ベース２３は、ポンプ出荷の際、各ベース設置面２の下側に該設置面２にならって配置した帯板状の架台２４（ベース部材に相当）と、同じく架台２とベース設置面２との間に介装された複数の吸振体２５（振動を吸収するもの）とを組合わせて構成されている。そして、架台２が、固定基盤などの設置場所Ａに設置（図示しないアンカーボルトによる）され、吸振体２５の吸振性能でポンプ装置を防振させている。
【００３０】
詳しくは、吸振体２５には、高い吸振能力を有する部品、具体的には図３（ａ），（ｂ）に示されるようなコイルばね２６をゴム部材２７に埋設するとともに、コイルばね２６の両端側にそれぞれ接触座２８を形成した筒形部を有するゴムパッドが用いてある。本実施形態では、この筒形部を複数、例えば４個並行に並べ、中段部の相互を板状部で連結して高い防振性能を確保した角盤状のゴムパッドが用いてある。この同一構造のゴムパッド（ばね定数同一）が、接触座２８を上下に向けた縦形の姿勢で、複数個、所定の間隔を空けて、それぞれ架台２とベース設置面２との間に置かれている。そして、ゴムパッドは、架台２と転倒防止具２９とを用いて離脱しないように組込んである。
【００３１】
詳しくは、ゴムパッドの左右前後方向の動きが規制されるよう、架台２には、例えばゴムパッドの中段に有る矩形の外形部分を左右両側から囲う板材、例えば断面がＵ字状の帯板部材が用いられる。またベース設置面２のうちゴムパッドが配置されるそれぞれの地点には、４個並ぶ接触座２８の両側、ここでは前後両側（架台２の長手方向に向く側）から囲う、例えば断面がＵ字状の板片３０が取着され、架台２および板片３０で、ゴムパッドの前後左右方向が規制されるようにしている。
【００３２】
転倒防止具２９には、図２（ａ），（ｂ）に示されるように溶接により基端部を取着して架台１の両端部の内面にそれぞれ植え込んだボルト部材３１を用いられている。詳しくは、ボルト部材３１は、ベース設置面２を貫通する長さをもつ。なお、２ａはその貫通孔を示す。そして、このボルト部材３１は、ゴム製の座金３２を通して、ナット３３ａ，３３ｂが順に螺挿され、ナット３３ａ，３３ｂで、残るゴムパッドの上下方向を規制して、ゴムパッドをポンプ装置に組付けている。
【００３３】
これで、ゴムパッドは、ポンプ装置に離脱しないよう組付けてある。そして、このゴムパッドは、ポンプ装置が設置場所Ａに据付けられると、各接触座２８が架台２、ベース設置面２に弾接され、ゴムパッドがもつ吸振性能により、ポンプ装置からのポンプ振動を吸収して、固定基盤といったポンプ装置の設置場所Ａへ伝わるのを抑えるようにしている。むろん、ボルト部材３１は、ポンプ装置の動きを規制して、ゴムパッドが地震などにより振られてもポンプ装置が転倒しないようにするものである。特にボルト部材３１には、図２（ａ），（ｂ）に示されるようにゴムパッドの中央に形成してある通孔３４を通過する地点に取着した構造、具体的には左右端に有る２個のゴムパッドだけにボルト部材３１を通過させた構造が採用してあり、省スペース化を図っている。
【００３４】
またポンプ装置の重心位置を考慮して、ゴムパッドで、高い防振効果が発揮される工夫も施してある。具体的には、図１に示されるような組付く配管部材やバルブにより重心位置が配管側に寄るポンプ装置では、配管側のベース設置面２と架台２４との間に配置されるゴムパッドの数量を４個とし、反対の電動機７側のベース設置面２と架台２４との間に配置されるゴムパッドの数量を２個としている。つまり、重心位置のずれにより重量が増加する側の数量を多く、反対側の重量が減少する側の数量を少なくして（同一のゴムパッドを使用する場合）、好適な防振を行っている。むろん、ゴムパッドは、いずれも適正な間隔で配置してある。
【００３５】
このようなポンプ出荷時から防振機能が付いたポンプ装置だと、通常、ポンプ装置の据付作業と同じように、ポンプ装置のベース設置面２に代わる架台２４を、該架台２４の両端側に形成してあるアンカー用の通孔２４ａと、設置場所Ａから突き出ているアンカーボルト（図示しない）とを合せながら、設置場所Ａの設置面に載せる。そして、アンカーボルト端にナット（図示しない）をねじ込むといった作業を行い、ポンプ装置を設置場所Ａに据付ければ、防振機能部２２の据付け一緒に行える。
【００３６】
これにより、ポンプ装置の運転に伴い、設置場所Ａへ伝わろうとするポンプ振動は、防振機能部２２をなす各ゴムパッド（吸振体２５）で吸収されて、設置場所Ａから伝播されるのが抑えられる。
【００３７】
したがって、防振架台を設置するときのような煩わしい作業を必要とせずに、防振機能が付いたポンプ装置の設置を行うことができる。特に、防振が求められる傾向の高い、設定吐出揚程以下で始動し、設定流量以下で停止させるポンプユニットが組付くポンプ装置やポンプ部８の吐出揚程を予め設定された目標圧力で一定に運転させるポンプユニットが組付くポンプ装置には好適である。もちろん、本実施形態のような双方の制御が行われるポンプユニットが組付くポンプ装置にも好適である。
【００３８】
しかも、防振構造は、ポンプベース１のベース設置面２の下側にレール状の架台２４を配置し、この架台２とベース設置面２との間に複数の吸振体２５を介装した構造なので、簡単、かつコスト的な負担が軽くてすむ。
【００３９】
そのうえ、ポンプ装置の重心位置を考慮して、各ベース設置面２毎における吸振体２５の設置数量を変えた防振構造を採用したので、各ベース設置面２毎の吸振体２５はいずれも良好な防振効果が発揮され、ポンプ装置にマッチした高い防振性能が確保される。
【００４０】
加えて、架台２４とベース設置面２との間には転倒防止具２９が付いているので、吸振体２５が、たとえ地震などに振動により、大きく振られても、ポンプ装置１が転倒するおそれがない。しかも、この転倒防止具９には、架台２４に植えたボルト部材３１を用いたので、簡単な構造である。そのうえ、ボルト部材３１には吸振体２５を貫通する構造を採用してあるので、転倒防止具９はコンパクトである。
【００４１】
また吸振体２５には、コイルばね２６をゴム部材２７で埋設した構造のゴムマットを採用したので、小さい部品でありながら、ベース設置面２と架台２４との間といった狭い領域でも十分な吸振性能が得られ、高い防振効果が確保できる。
【００４２】
図４（ａ）〜（ｃ）は、本発明の第２の実施形態を示す。
【００４３】
本実施形態は、ばね定数が同じ吸振体（ゴムパッド）を用いるのではなく、ばね定数が異なる吸振体（ゴムパッド）を用いて、ポンプ装置の重心位置の変化に合った防振性能が発揮されるようにしたものである。
【００４４】
この場合、例えば各ベース設置面２毎の吸振体２５（ゴムパッド）の数量を同じにしておき、重心位置が寄る配管側（重心位置のずれより重量が増加する側）の吸振体２５に、ばね常数の高い吸振体を用いたり、反対の電動機７側（重心位置のずれより重量が増加する側）にばね定数の低い吸振体を用いたりする。本実施形態では、配管側の吸振体２５は、電動機７側の吸振体２５よりも倍となるばね定数の吸振体を使用している。
【００４５】
なお、この他の部分については、第１の実施形態と同じなので、同じ部分については、第１の実施形態と符号を付してその説明を省略した。
【００４６】
なお、本発明は上述した一実施形態に限定されることなく、本発明の主旨を逸脱しない範囲内で種々変更して実施しても構わない。例えば上述した実施形態では、２つ（複数）のベース設置面２を有するポンプベース１に本発明を適用したが、これに限らず、３つや４つのベース設置面を有するポンプベースについても、本発明を適用してもよい。この場合、増加するベース設置面の数量にしたがって、架台２や吸振体２５の数量が増えることはいうまでもない。もちろん、給水ポンプユニット以外のポンプユニットがポンプベースに搭載されるポンプ装置にも、本発明を適用してよい。
【００４７】
【発明の効果】
以上説明したように請求項１の発明によれば、ポンプ出荷時からポンプベースには、防振機能部が付いているから、従来の防振架台を据付けるときのような煩わしい作業を必要とせずに防振対策を施したポンプ装置を設置することができる。
【００４８】
請求項２に記載の発明によれば、さらに安価な構造で防振が施すことができるといった効果を奏する。
【００４９】
請求項３、請求項４に記載の発明によれば、さらにポンプ装置の重心位置を考慮して、各吸振体において良好な防振効果を発揮させることができるといった効果を奏する。
【００５０】
請求項５に記載の発明によれば、さらに小さい部品でありながら高い防振効果を確保できるといった効果を奏する。
【００５１】
請求項６に記載の発明によれば、さらにポンプ装置が地震などで転倒するのを防ぐことができるといった効果を奏する。
【００５２】
請求項７に記載の発明によれば、さらに簡単な構造の転倒防止具ですむうえ、コンパクトですむといった効果を奏する。
【００５３】
請求項８、請求項９に記載の発明によれば、さらに簡単に、防振が求められるポンプ装置において十分な防振効果を発揮させることができるといった効果を奏する。
【図面の簡単な説明】
【図１】（ａ）は、本発明の第１の実施形態に係るポンプ装置の平面図。
（ｂ）は、同じく正面図。
（ｃ）は、同じく側面図。
【図２】同ポンプ装置のポンプベースに組付く防振機能部の構造を説明する斜視図。
【図３】（ａ）は、同防振機能部を構成する吸振体の平面図。
（ｂ）は、一部断面した正面図。
【図４】（ａ）は、本発明の第２の実施形態に係るポンプ装置の平面図。
（ｂ）は、同じく正面図。
（ｃ）は、同じく側面図。
【符号の説明】
１…ポンプベース
２…ベース設置面
５…給水ポンプユニット（ポンプユニット）
６…ポンプ
７…電動機
８…ポンプ部
１４…流量センサ（流量検出手段）
１５…圧力センサ（圧力検出手段）
１９…制御部
２０…インバータ（可変速駆動手段）
２２…防振機能部
２４…帯板状の架台（ベース部材）
２５…吸振体
２６…コイルばね
２７…ゴム部材
２８…接触座
２９…転倒防止具
３１…ボルト部材
３３ａ，３３ｂ…ナット。
【図１】
0004801844.tif 000002
【図２】
0004801844.tif 000003
【図３】
0004801844.tif 000004
【図４】
0004801844.tif 000005